(57)【要約】      （修正有）【課題】清掃用又は洗浄用のブラシを、油圧シリンダやリンク機構といった大掛かりな装置を使用することなく、また、特別強い力で持ち上げる必要もなく、移動時や保管時等の不用時に極めて簡単に床面或いは路面上より引き上げておくことを可能とする。【解決手段】ブラシ体１０の一部を構成するブラシ毛１０Ａを取付けた複数のブラシ毛基部１２…を、ボス部１１の周囲に上下回動自在に設けたブラシホルダー１３…の各外側面に取付け、このブラシホルダー１３…の各上端部に錘１４を取付けて、ブラシ体１０の回転時に生じる遠心力によって開いていたブラシ体１０を窄めることにより、ブラシ体１０を床面ＦＬに押接して清掃、又は、洗浄を行うことができると共に、使用後には、再びブラシ体１０を広げて床面ＦＬから離すようにする。【選択図】図３
2010172597.tif 000002
【特許請求の範囲】
【請求項１】
全体が略傘型形状を成すブラシ体をモータで回転しながら移動することにより、床面や路面等を掃除或いは洗浄する床面等用清掃機であって、
上記のモータによって回転されるボス部の外周部に、上部側に錘の重力が付加され、下部側には上記ブラシ体の一部を構成するブラシ毛を取付けて成る複数個のブラシ毛基部を、各ブラシ毛によって上記のブラシ体を構成するように円周方向に並べた状態で、且つ、上記ボス部の回転が停止している時は、ボス部の中心方向に傾倒する上記錘の重力作用によって、上記下側部のブラシ毛が床面や路面等から離れる上向き方向に回動され、モータによる上記ボス部の回転時には、錘が放射方向に移動する遠心作用によって、上記のブラシ毛を床面や路面に接触させる下向き方向に回動されるように、上下回動自在に装着したことを特徴とする床面等用清掃機のブラシ装置。
【請求項２】
前記ボス部の外周部に対して、各々上下回動自在に構成した上下回動板を備えた複数個の回動支持体を、円周方向に並べた状態で直接又は間接的に設け、これ等各回動支持体の上下回動板にはブラシホルダーを取付けて、各ブラシホルダーの上側部分に前記の錘を取付けると共に、これ等各ブラシホルダーの前面部には、下側部分にブラシ毛を取付けた前記のブラシ毛基部が装着されていることを特徴とする請求項１に記載の床面等用清掃機のブラシ装置。
【請求項３】
前記ブラシホルダーを上下回動自在に取付ける回動支持体として、蝶番を用いたことを特徴とする請求項２に記載の床面等用清掃機のブラシ装置。
【請求項４】
前記ボス部の外周部に円周方向に並べた状態に設けられている複数個のブラシ毛基部の各両側部分、又は、このブラシ毛基部を取付けた前記ブラシホルダーの左右両側部分のいずれかに、隣接するもの同士が互いに係合し合う係合部を設けたことを特徴とする請求項１、２又は３に記載の床面等用清掃機のブラシ装置。
【請求項５】
前記ブラシホルダーの下側部の内側面に、前記ボス部の回転による遠心力によって前記錘が外方に移動して、ブラシホルダーがブラシ毛基部を下向きに回動した際に、上記ボス部に対して直接又は間接的に接触して、前記ブラシ毛の床面又は路面に対する押接量を規制するストッパー用の突起が設けられていることを特徴とする請求項１、２、３又は４に記載の床面等用清掃機のブラシ装置。
【請求項６】
前記ボス部の外周部に並べて装着した各ブラシ毛基部に対して、各ブラシ毛基部を前記ブラシ毛を床面や路面等から上方に離れる方向に作用させる弾性力を付与せしめたことを特徴とする請求項１、２、３、４又は５に記載の床面等用清掃機のブラシ装置。
【請求項７】
前記ブラシ毛基部に対して弾性力を付与する弾性部材が、前記ボス部の外周部に並べて装着されている複数個のブラシ毛基部の各上側表面部分に掛け渡されたコイルスプリング又はゴムバンドの如き弾性体であることを特徴とする請求項６に記載の床面等用清掃機のブラシ装置。
【請求項８】
前記ブラシ毛基部に対して弾性力を付与する弾性部材が、中央部をブラシ毛基部の回動中心部に取付け、一端と他端を前記ボス部側とブラシ毛基部側に夫々弾性的に係止させた捩じりバネ状のスプリングであることを特徴とする請求項６に記載の床面等用清掃機のブラシ装置。
【発明の詳細な説明】
【技術分野】
【０００１】
本発明は、オフィスや空港のロビーなどの床面の清掃又は洗浄、若しくは路面の清掃を行う場合に用いて好適な床面等用清掃機に関するものであって、特に、清掃機の保管時や移動時にブラシの先端が床面に接しないように工夫した床面等用清掃機のブラシ装置に関するものである。
【背景技術】
【０００２】
機体の底部にモータによって回転される清掃用又は洗浄用のブラシを取付けたスイーパー或いはスクラバーと呼ばれている従来の床面等用清掃機では、移動時や保管時には、床面やブラシ自身を保護するために、ブラシを床面及び路面から離しておく必要があるため、例えば特許文献１及び２に記載の如き洗浄機が開発さている。
【先行技術文献】
【特許文献】
【０００３】
【特許文献１】実開平１−１１５４５２号公報
【特許文献２】実開平１−１８０５２１号公報
【発明の概要】
【発明が解決しようとする課題】
【０００４】
しかしながら、上記特許文献１に記載の床面洗浄機は、作業者が洗浄機用ブラシ体を床面上から持ち上げて、ワンタッチステーで持ち上げた位置に固定してから、機体を移動する仕組みになっているため、作業者がその都度重い洗浄機のブラシ体を床面上から持ち上げ、更にはワンタッチステーを用いて持ち上げた位置に固定する必要があって、操作が非常に面倒で、操作性に欠ける問題があり、また、非力な高齢者や女性には容易に操作できない問題があった。
【０００５】
また、上記特許文献２に記載の床面洗浄機は、洗浄用ブラシを床面から上げる時には、油圧シリンダを動力源とするリンク機構を介して引き上げるため、油圧シリンダ用の動力や油圧ポンプが必要となり、全体として大掛かりな装置に成ってしまう問題があった。
【０００６】
そこで本発明の技術的課題は、清掃用又は洗浄用のブラシを、油圧シリンダやリンク機構といった大掛かりな装置を使用することなく、また、特別強い力で持ち上げる必要もなく、移動時や保管時等の不便時に極めて簡単に床面或いは路面上より引き上げておくことができるように工夫した床面等用清掃機のブラシ装置を提供することである。
【課題を解決するための手段】
【０００７】
（１）  上記の技術的課題を解決するために、本発明の請求項１に係る手段は、全体が略傘型形状を成すブラシ体をモータで回転しながら移動することにより、床面や路面等を掃除或いは洗浄する床面等用清掃機であって、上記のモータによって回転されるボス部の外周部に、上部側に錘の重力が付加され、下部側には上記ブラシ体の一部を構成するブラシ毛を取付けて成る複数個のブラシ毛基部を、各ブラシ毛によって上記のブラシ体を構成するように円周方向に並べた状態で、且つ、上記ボス部の回転が停止している時は、ボス部の中心方向に傾倒する上記錘の重力作用によって、上記下側部のブラシ毛が床面や路面等から離れる上向き方向に回動され、モータによる上記ボス部の回転時には、錘が放射方向に移動する遠心作用によって、上記のブラシ毛を床面や路面に接触させる下向き方向に回動されるように、上下回動自在に装着したことを特徴としている。
【０００８】
（２）  また、本発明の請求項２に係る手段は、前記ボス部の外周部に対して、各々上下回動自在に構成した上下回動板を備えた複数個の回動支持体を、円周方向に並べた状態で直接又は間接的に設け、これ等各回動支持体の上下回動板にはブラシホルダーを取付けて、各ブラシホルダーの上側部分に前記の錘を取付けると共に、これ等各ブラシホルダーの前面部には、下側部分にブラシ毛を取付けた前記のブラシ毛基部が装着されていることを特徴としている。
【０００９】
（３）  また、本発明の請求項３に係る手段は、前記ブラシホルダーを上下回動自在に取付ける回動支持体として、蝶番を用いたことを特徴としている。
【００１０】
（４）  また、本発明の請求項４に係る手段は、前記ボス部の外周部に円周方向に並べた状態に設けられている複数個のブラシ毛基部の各両側部分、又は、このブラシ毛基部を取付けた前記ブラシホルダーの左右両側部分のいずれかに、隣接するもの同士が互いに係合し合う係合部を設けたことを特徴としている。
【００１１】
（５）  また、本発明の請求項５に係る手段は、前記ブラシホルダーの下側部の内側面に、前記ボス部の回転による遠心力によって前記錘が外方に移動して、ブラシホルダーがブラシ毛基部を下向きに回動した際に、上記ボス部に対して直接又は間接的に接触して、前記ブラシ毛の床面又は路面に対する押接量を規制するストッパー用の突起が設けられていることを特徴としている。
【００１２】
（６）  また、本発明の請求項６に係る手段は、前記ボス部の外周部に並べて装着した各ブラシ毛基部に対して、各ブラシ毛基部を前記ブラシ毛を床面や路面等から上方に離れる方向に作用させる弾性力を付与せしめたことを特徴としている。
【００１３】
（７）  また、本発明の請求項７に係る手段は、前記ブラシ毛基部に対して弾性力を付与する弾性部材が、前記ボス部の外周部に並べて装着されている複数個のブラシ毛基部の各上側表面部分に掛け渡されたコイルスプリング又はゴムバンドの如き弾性体であることを特徴としている。
【００１４】
（８）  更に、本発明の請求項８に係る手段は、前記ブラシ毛基部に対して弾性力を付与する弾性部材が、中央部をブラシ毛基部の回動中心部に取付け、一端と他端を前記ボス部側とブラシ毛基部側に夫々弾性的に係止させた捩じりバネ状のスプリングであることを特徴としている。
【００１５】
上記（１）で述べた請求項１に係る手段によれば、モータによるブラシの回転が停止している時は、ボス部の外周部に並べて設けられた各ブラシ毛基部が、錘の重力によって上方（上向き）に回動して、ブラシ毛を床面或いは路面から離すため、床面やブラシ自身を保護することができる。一方、モータがブラシを回転すると、錘の遠心作用によって各ブラシ毛基部が下方（下向き）に回動して、ブラシを床面或いは路面側に対してたわむように押接するため、床面や路面を清掃又は洗浄することができるため、重いブラシをシリンダ等を使用することなく、ブラシ回転用モータのＯＮ／ＯＦＦに従って、床面や路面に対して接触させたり、離したりすることを可能にする。
【００１６】
また、上記（２）と（３）で述べた請求項２と３に係る手段によれば、各ブラシ毛基部が、蝶番を用いて構成した回動支持体の上下回動板に取付けられているブラシホルダーの前面に装着され、且つ、このブラシホルダーの上側部分に錘が取付けられている。従って、モータがボス部を回転すると、錘の遠心作用によって上下回動板が開回動してブラシ毛基部を確実に下向きに回動するため、ブラシ毛をたわました状態で床面又は路面側に押接して、優れた清掃作用又は洗浄作用を発揮できる。その後、モータがボス部の回転を停止した時は、回転軸の方向に作用する上記錘の重力作用によって、上下回動板が閉回動して、ブラシ毛基部を確実に上向きに回動するため、ブラシ毛を床面又は路面側から離すことができる。
【００１７】
上記（４）で述べた請求項４に係る手段によれば、ボス部の外周部に円周方向に並べた状態に取付けられる各ブラシ毛基部が、隣接するもの同士互いに係合し合う係合部を備えているため、各ブラシ毛基部の上下回動がこれ等係合部の係合によって連動して行われて、床面又は路面に対する各ブラシ毛基部に取付けたブラシ毛の圧接と離間の動作を、一体的に円滑に行うことを可能にする。
【００１８】
上記（５）で述べた請求項５に係る手段によれば、モータによるボス部の回転に従ってブラシ毛が床面又は路面に接して、清掃或いは洗浄を行う際に、ブラシホルダーに設けたストッパー部がボス部側に接して、ブラシホルダーの傾斜を途中で制止するため、床面又は路面に対するブラシ毛の押接力を調整して、ブラシ毛の無駄な摩耗や、強過ぎるブラシ押接力による床面の摩耗事故や研磨事故を予防することを可能にする。
【００１９】
上記（６）、（７）、（８）で述べた請求項６、７、８に係る手段によれば、モータによるボス部の回転が停止して遠心作用が消滅した際に、コイルスプリング又はゴムバンドの如き弾性体、或いは、スプリングの弾性力によってブラシ毛を素早く、且つ、確実に床面或いは路面側から離隔させることができるため、床面やブラシ毛の無駄な摩耗を予防することを可能にする。
【発明の効果】
【００２０】
以上述べた次第で、本発明に係る床面等用清掃機のブラシ装置によれば、モータがボス部を回転すると、錘の遠心力が働いてブラシ毛の先端を床面や路面に接しながらブラシが回転するため、床面や路面の洗浄や清掃を行うことができ、また、モータによるボス部の回転を停止すると、ブラシを床面や路面から離した状態に戻すことができるため、このブラシの接離動作をワンタッチステーや油圧ポンプで行っていた従来の清掃機に比較して、構成と運転操作を大幅に簡略化して、製造コストを安くする経済的効果と、作業の安全性を高める効果を発揮することができる。
【図面の簡単な説明】
【００２１】
【図１】本発明に係るブラシ装置を搭載した清掃機能付き洗浄機の斜視図。
【図２】本発明のブラシ装置を示した斜視図。
【図３】本発明のブラシ装置を示したものであって、（１）は断面図、（２）はブラシが静止している状態を示した図、（３）はブラシが床面に押接して清掃又は洗浄可能に成った状態を示した図である。
【図４】ブラシ装置の一部を示した分解斜視図。
【図５】組立てられたブラシ装置の一部を示した斜視図。
【図６】請求項４に記載の構成を説明したものであって、（１）はブラシ装置の一部を示した斜視図、（２）は静止状態におけるブラシ装置の全体斜視図、（３）は清掃又は洗浄可能な状態に成ったブラシ装置の全体を示した斜視図である。
【発明を実施するための形態】
【００２２】
以下に、本発明に係る床面等用清掃機のブラシ装置の実施の形態を図面と共に説明すると、図１において符号１で全体的に示したのは、本発明のブラシ装置が搭載されている清掃機能付き洗浄機の本体であって、２はその上カバー、２Ａと２Ｂは上カバー２に設けた清水注入口蓋と汚水点検窓、３は本体１の後部に設けた運転用のハンドル、４は洗浄機の運転を操作する操作パネル、５は本体１の下側に取付けた洗浄水飛散防止カバー、６は本体１の前面部に設けたベルトカバー、９はベルトカバー６の下側部に取付けけたキャスター、符号１０で全体的に示したのは、同じくベルトカバー６の下側部に設けた洗浄及び清掃用のブラシ、７は本体１の後部に取付けたスキージで、図示した洗浄機は、モータ（図示省略）によるブラシの回転と、洗浄液の給水を行いながら移動して床面を洗浄し、洗浄によって床面上に残った汚水をスキージ７で掻き集めて本体１内の汚水タンク（図示省略）に吸い取る床面洗浄機能を備えている。
【００２３】
また、上記図１に示した洗浄機は、洗浄液を給水せずにブラシ１０のみを回転して床面や路面を清掃することができる機能も備えているが、本発明に係るブラシ装置はこれ等洗浄と清掃の機能を備えた清掃機（処理機）にのみ使用されるものではなく、洗浄機能或いは清掃機能のいずれか一方のみを備えたスクラバーやスイーパーといったその他の清掃機にも利用可能である。
【００２４】
更に、図面では２つのブラシ体１０，１０を用いた清掃機が記載されているが、これも本発明の実施の一例であって、１つのブラシ体１０を本体１の前部に取付けた構成であっても勿論よく、その選択は任意とする。
【００２５】
本発明で使用されるブラシ体１０は、比較的腰が強い多数本のブラシ毛１０Ａ…を用いることにより、全体が図示したように略傘型形状を呈するように構成されていて、本発明によれば、ブラシ体１０の回転を止めている清掃機の移動時や、収納時等には、図３の（１）、（２）並びに図６の（２）に示すように、ブラシ体１０の全体が略傘型形状に開いていて、各ブラシ毛１０Ａ…の先端が床面ＦＬや路面から離れているため、特に移動時には、きれいに仕上げた床面ＦＬを汚したり、不要な部分を擦ったりしない長所を備えている。
【００２６】
また、ブラシ体１０を回転して床面ＦＬを清掃する時は、後述する本発明の構成と作用によって、略傘状に開いていたブラシ体１０の全体が図３の（３）並びに図６の（３）に示すように縦長に窄まるため、各ブラシ毛１０Ａ…の先端側が床面ＦＬに接して、ブラシ毛１０Ａ…が図３の（３）の如くたわんだ状態に変形して回転することから、ブラシ圧が高まって床面ＦＬの清掃或いは洗浄を円滑に進めることができる。次いで、モータによる上記ブラシ体１０の回転を止めた時は、ブラシ体１０が再び図２や図３の（１）、（２）の開いた状態に自動的に戻って、床面ＦＬから離れる動作を行うため、清掃或いは洗浄を終えた床面ＦＬや路面を、きれいな状態に保つことができる。
【００２７】
本発明は、以上の如き優れた作用、効果を発揮するが、次にその具体的構成の一例を添付した図２以下の記載と共に詳細に説明することにする。
【００２８】
図２は本発明に係るブラシ装置の構成を説明した斜視図、図３の（１）はその側断面図、図３の（２）と（３）はブラシ毛１０Ａの動きを説明した側面図、図４は本発明の分解図であって、これ等の図面において、１１はモータ（図示せず）によって回転されるボス部で、このボス部１１は図３の（１）に示すように、前記ベルトカバー６の内底面に垂設されている支軸７に回転自在に取付けられていて、上側周面部に掛け渡されている駆動用ベルト８をモータによって駆動することにより、回転される仕組みに成っているが、このボス部１１の回転駆動は実施の一例であって、本発明の駆動手段が図示のものに限定されないことは勿論である。尚、図２において１１Ａは上記ボス部１１の中心に穿孔した上記支軸７用の挿通穴である。
【００２９】
更に、６Ｔは上記ボス部１１の開口された底面口を塞ぐように取付けた補助板で、略円板状に形成したこの補助板６Ｔの直径は、ボス部１１の直径よりも若干大きく造られていて、ボス部１１の底面外周部より外方に突出されている上記補助板６Ｔの外周辺の上面には、回動支持体としての多数の蝶番１５…が、円周方向に等間隔をあけた状態でネジ止めされている。
【００３０】
また、これ等多数の蝶番１５…の夫々には、図４の如く取付軸１５Ｓを介して上下回動板１５Ａが開閉回動自在に取付けられていて、各蝶番１５…はこの上下回動板１５Ａを夫々外方に向けた状態、即ち、上下回動板１５Ａを上記補助板６Ｔの外周縁の外側に臨ました状態で、且つ、円周方向に等間隔をあけて固定されている。
【００３１】
そして、これ等各上下回動板１５Ａの外側面には、全体が上下回動板１５Ａよりも上下方向に長い矩形状を成すブラシホルダー１３が、夫々ネジ１６と雌ネジ１６Ａの締め付けによって固定され、また、これ等各ブラシホルダー１３の表面（外側面）には、下側部に上記ブラシ体１０の一部分を構成する複数本のブラシ毛１０Ａ…を、斜め下方向けて植設（植毛）したブラシ毛基部１２が、ネジ止め、嵌め合わせ、接着等のいずれかの手段を講じて固定されている。尚、図４において符号１３Ｓで示したのは、上記ブラシ毛基部１２の取付け用に設けた切欠穴である。また、後述するコイルスプリング又はゴムバンド１７は、ブラシホルダー１３に対してブラシ毛基部１２を嵌め合わせによって取付けた場合の保持力にもなる。
【００３２】
以上の如く構成したブラシ毛基部１２は、複数個（図面上では計８個）が図２並びに図６の（２）、（３）に示す如く、上記補助板６Ｔの外周縁上に位置した状態で、且つ、前述したボス部１１の外周を囲むようにして、夫々ブラシホルダー１３…の表面側に固定され、また、これ等各ブラシ毛基部１２の下側部に対して、前記ボス部１１を中心とする放射方向に植設されているブラシ毛１０Ａ…によって、全体が略傘型形状を成すブラシ体１０が構成される仕組みに成っている。
【００３３】
更に図中、１４は上記各ブラシホルダー１３の上部側内側面（ボス部１１側）に固定した錘で、前記蝶番１５の上下回動板１５Ａに固定された各ブラシホルダー１３は、この錘１４の重力作用を受けて、常時（運転停止時）は図３の（１）、（２）に示す如く表面（外側面）側を僅かに斜め上方に向けた上向き状態に支持されている。
【００３４】
その結果、各ブラシホルダー１３の外側面に取付けた各ブラシ毛基部１２…も上向きに支持されて、ブラシ体１０を構成するブラシ毛１０Ａ…も、夫々床面ＦＬから上方に離れた状態に支持されるため、清掃機の移動時や保管時等にブラシ毛１０Ａの先端側が床面ＦＬに接触して、清掃済み又は洗浄済みの床面ＦＬを汚してしまう問題を解決することができる。
【００３５】
尚、図４において１３Ａ，１３Ａは上記ブラシホルダー１３の左右両側部に夫々外側方向に向けて屈曲形成した左右の立上部で、前述したブラシ毛基部１２は、左右をこれ等立上部１３Ａ，１３Ａに挟まれた安定した状態で、ブラシホルダー１３の外側面に固定される。また、１７は上記各ブラシ毛基部１２…が重力によって下向きに成らないように、各ブラシ毛基部１２の上部側表面を弾性的に押圧するコイルスプリング又はゴムバンドで、各ブラシ毛基部１２の上部表面と、前記ブラシホルダー１３の上記左右の立上部１３Ａ，１３Ａには、このコイルスプリング又はゴムバンド１７を嵌込んで保持する嵌込み溝１２Ａと切欠部１３Ｂ，１３Ｂが凹設されている。
【００３６】
以上の如くコイルスプリング又はゴムバンド１７によって上向き状態に弾支された各ブラシ毛基部１２は、前述した錘１４の重力作用と相俟って、夫々上向き状態に支持されてブラシ体１０を略傘型形状に保持するため、清掃機の停止時や移動時等に各ブラシ毛１０Ａの先端側が下がって床面ＦＬや路面に接触する問題を解消することができる。
【００３７】
一方、清掃時又は洗浄時には、モータが図３の駆動用ベルト８を介してブラシ毛基部１２を回転駆動すると、図３の（３）に示すように各錘１４…が回転による遠心力によって外方（放射方向）に移動して、各ブラシホルダー１３を各蝶番１５の上下回動板１５Ａと共に、取付軸１５Ｓを中心軸にして下向きに回動する。
【００３８】
その結果、各ブラシホルダー１３に取付けた各ブラシ毛基部１２も、上記ゴムバンド１７の弾性に抗しながら各ブラシ毛１０Ａ…と共に下向きに回動して、開いた傘を図６の（３）に示すように窄めた状態に変形するため、各ブラシ毛１０Ａ…は図３の（３）に示す如く床面ＦＬや路面に対してたわんだ状態で接触しながら回転して、優れた清掃効果、又は、洗浄効果を発揮する。
【００３９】
この時の遠心力をＦ1 、錘１４の質量をｍ1 、ボス部１１の回転中心から錘１４の重心までをr1、 錘１４の角速度をωとすると、
Ｆ1＝ｍ1ｒ1ω2 (N) 
であり、ω＝2π(T/60) （rad/s） 
であるため、Ｆ1＝ｍ1ｒ1(2πT/60)2 (N) 
と表わせ、ｍ1を0.135kｇ、ｒ1を0.075ｍ、回転数Tを110rpmと設定するとＦ1は1.34 Nになる。
【００４０】
一方、ブラシ毛１０Ａを床面ＦＬに接地させる力Ｆ2＝0.44N （実測値）
ゴムバンド１７によるブラシ毛基部１２の保持力Ｒ＝0.63N （実測値）
であり、これらＦ2とＲの合計値(1.07N)が遠心力に対する抵抗力に相当し,遠心力との差Ｆ1−（Ｆ2＋Ｒ）＝0.27N が余裕の分となり、遠心力全体の約20％である。
この結果、ブラシ毛１０Ａの先端が床面ＦＬに接して清掃が可能となり、床面清掃機の収納時や移動時には遠心力が働らかないので、錘１４がブラシ毛１０Ａと伸びたゴムバンド１７の復元力で初期状態の位置に戻る。
【００４１】
次に、図５において１８は前記各蝶番１５の取付軸１５Ｓに夫々装着した捩じりバネ状のスプリングであって、このスプリング１８の両端は図示の如く補助板６Ｔの外縁部と、前記ブラシホルダー１３の一方の立上部１３Ａの下側縁に対し弾性的に係合していて、ブラシホルダー１３の全体を常時上向き方向に付勢する弾発作用を発揮する。
【００４２】
従って、このブラシホルダー１３に取付けられているブラシ毛基部１２も、運転停止時にはこのスプリング１８に弾発されて上向き状態、即ち、各ブラシ毛１０Ａを図３の（１）、（２）の如く床面ＦＬや路面から離した状態に支持されるため、前述したコイルスプリング又はゴムバンド１７と同様の作用が発揮されて、コイルスプリング又はゴムバンド１７を使用しなくても済むことになるが、このコイルスプリング又はゴムバンド１７との併用も可能であることは勿論である。尚、図５において、１６Ｈはブラシ毛基部１２をブラシホルダー１３に固定するためのネジである。
【００４３】
更に、図３の各図、及び、図４と図５において、１３Ｔは上記ブラシホルダー１３の下側部に内側に向けて突設したストッパー用の突起であって、この突起１３Ｔは図３の（３）に示すように、ブラシホルダー１３がブラシ毛基部１２を下向きに回動して、各ブラシ毛１０Ａの先端を床面ＦＬや路面に押接した時に、前記補助板６Ｔの底面に当接してブラシホルダー１３の回動を途中で制止することにより、ブラシ毛１０Ａの押接量を適度に調整して、ブラシ毛１０Ａや床面ＦＬの摩耗を防止することができる。
【００４４】
更に図６の各図において、１３Ｘと１３Ｙは上記ブラシホルダー１３の上部両側に横向きに突設した係合部であって、これ等の係合部１３Ｘ，１３Ｙは隣接するもの同士が互いに係合（連結）し合うように構成されていて、ボス部１１に周囲に設けた全てのブラシホルダー１３…、即ち、ブラシ毛１０Ａを設けた全てのブラシ毛基部１２が連動して一体的上下回動して、ブラシ体１０を同時に開いたり窄めたりすることができる。
【００４５】
尚、図面では一方の係合部１３Ｘを凸状に形成し、他方の係合部１３Ｙをこの凸状の係合部１３Ｘを移動自在に嵌込むことができる長孔状の凹状に構成しているが、これは実施の一例であって、相方の係合部１３Ｘと１３Ｙが自在に連結し合う形状、例えば、リング状やナック状、或いは、鎖状の構成であってもよく、その選択は任意である。
【符号の説明】
【００４６】
１            清掃機の本体
６Ｔ          補助板  
１０          ブラシ体
１０Ａ        ブラシ毛
１１          ボス部
１２          ブラシ毛基部
１３          ブラシホルダー
１３Ｔ        ストッパー用突起
１３Ｘ，１３Ｙ        係合部
１４          錘
１５          回動支持体としての蝶番
１５Ａ        上下回動板
１７          コイルスプリング又はゴムバンド
１８          スプリング
ＦＬ          床面
【図１】
2010172597.tif 000003
【図２】
2010172597.tif 000004
【図３】
2010172597.tif 000005
【図４】
2010172597.tif 000006
【図５】
2010172597.tif 000007
【図６】
2010172597.tif 000008